(57)【要約】      （修正有）【課題】運転者がトラクタの運転席に座った状態のまま、作業部（盛土装置や畦形成装置）の上下位置状態を把握できるようにする。【解決手段】畦形成機は、トラクタ５０１の後方に装着される。畦形成機は、作業部１２１を備える。作業部１２１は、畦３０１の傾斜面３０３やその裾部をなす地面３０２を掘削して畦３０１に土を盛り上げる盛土装置１４１と、盛り上げられた土を締固めて新畦３０５を形成する畦形成装置１３１と、を有する。盛土装置１４１及び畦形成装置１３１の少なくとも一方は、可動ケースに取り付けられて上下に変位自在である。変位量表示部１７１は、畦形成機１０１において上方に突出する第１要素及び第２要素が互いに摺動自在に係合して構成される。変位量表示部１７１は、作業部１２１を構成する盛土装置１４１や畦形成装置１３１の相対高さを示し、運転席５０２に着座した運転者５０３に視認される。【選択図】図１
2011200150.tif 000002
【特許請求の範囲】
【請求項１】
運転席を有した走行機に装着される機枠と、
前記機枠に設けられ旧畦面やその裾部を掘削して前記旧畦に土を盛り上げる盛土装置と、前記機枠に設けられ前記盛土装置によって盛り上げられた土を締固めて新畦を形成する畦形成装置とを有して、前記走行機の側方に位置し前記運転席の後方に配置される作業部と、
前記盛土装置及び前記畦形成装置の少なくとも一方を前記機枠に対し上下に変位させる変位機構と、
前記機枠側から上方に突出する第１要素と、前記変位機構により上下に変位する装置から上方に突出する前記第２要素と、を含み、前記第１要素と前記第２要素とが互いに摺動自在に係合する変位量表示部と、
を備える畦形成機。
【請求項２】
前記第１要素及び前記第２要素の一方は、前記作業部に回動自在に連結され、
前記第１要素及び前記第２要素の他方は、前記作業部に固定される、
請求項１記載の畦形成機。
【発明の詳細な説明】
【技術分野】
【０００１】
本発明は、旧畦を修復して新畦を形成する畦形成機に関する。
【背景技術】
【０００２】
従来、盛土装置と畦形成装置とを備え、盛土装置を駆動して旧畦上に土を盛り上げ、畦形成装置を駆動して盛り土を上から締め固めることで、旧畦上に新畦を形成する畦形成機が知られている。その一例は、特許文献１に記載の畦塗り機である。この畦塗り機では、畦塗り体３６（畦形成装置）が、機枠１に対して上下方向に位置調節自在に設けられる。また、この畦塗り機では、ゲージ輪９３が上下方向に位置調節自在となっていて、このゲージ輪９３の上下位置を調節することにより、地面に対する泥土供給ロータリー６３（盛土装置）の高さが調節される。
【先行技術文献】
【特許文献】
【０００３】
【特許文献１】特開平８−１５４４０９号公報
【発明の概要】
【発明が解決しようとする課題】
【０００４】
特許文献１に記載の畦塗り機は、トラクタの後端部分に連結されて用いられる。このため、盛土装置や畦形成装置は、このトラクタの運転席に座る運転者の斜め後ろ方向に位置することになる。このとき、運転者は、畦塗り機を上方から覗き込むような状態となり、畦を形成する作業部（盛土装置や畦形成装置）の上下位置状態を把握することができない。
【０００５】
本発明の目的は、運転者がトラクタの運転席に座った状態のまま、作業部（盛土装置や畦形成装置）の上下位置状態を把握できるようにすることである。
【課題を解決するための手段】
【０００６】
本発明の畦形成機は、運転席を有した走行機に装着される機枠と、前記機枠に設けられ旧畦面やその裾部を掘削して前記旧畦に土を盛り上げる盛土装置と、前記機枠に設けられ前記盛土装置によって盛り上げられた土を締固めて新畦を形成する畦形成装置とを有して、前記走行機の側方に位置し前記運転席の後方に配置される作業部と、前記盛土装置及び前記畦形成装置の少なくとも一方を前記機枠に対し上下に変位させる変位機構と、前記機枠側から上方に突出する第１要素と、前記変位機構により上下に変位する装置から上方に突出する前記第２要素と、を含み、前記第１要素と前記第２要素とが互いに摺動自在に係合する変位量表示部と、を備える。
【発明の効果】
【０００７】
本発明によれば、機枠に対する盛土装置や畦形成装置の相対的な高さが変位量表示部により示され、この変位量表示部が上方に突出している。したがって、運転者は、トラクタの運転席に座った状態のまま後方に振り返るだけで、作業部（盛土装置、畦形成装置）の上下位置状態を把握できる。
【図面の簡単な説明】
【０００８】
【図１】第一の実施の形態における、トラクタに取り付けられた状態の畦形成機の平面図である。
【図２】第一の実施の形態における、一部を破断させて示す畦形成機の平面図である。
【図３】第一の実施の形態における、畦形成機の側面図である。
【図４】（ａ）及び（ｂ）は、第一の実施の形態における、変位量表示部の動きを示す側面図である。
【図５】（ａ）及び（ｂ）は、第一の実施の形態における、変位量表示部の動きを示す正面図である。
【図６】第二の実施の形態における、変位量表示部の側面図である。
【図７】第三の実施の形態における、畦形成機の模式的な斜視図である。
【図８】第四の実施の形態における、畦形成機の模式的な斜視図である。
【発明を実施するための形態】
【０００９】
実施の一形態を、図１ないし図５に基づいて説明する。説明の便宜上、本実施の形態を第一の実施の形態と呼ぶ。図１は、トラクタ５０１に取り付けられた状態の畦形成機１０１の平面図である。畦形成機１０１は、トラクタ５０１（走行機）の後方に連結されて用いられる。トラクタ５０１は、その走行方向の後方部分（図１における右側）に運転席５０２を有する。運転者５０３は、この運転席５０２に座ってトラクタ５０１の前方側に向き、ハンドルや各種レバー等を操作してトラクタ５０１を運転し、畦３０１が設けられている地面３０２上を、畦３０１の傾斜面３０３に沿って走行する。以下、トラクタ５０１の走行方向前方側を、単に「走行方向前方側」と呼ぶことがある。また、トラクタ５０１の走行方向後方側を、単に「走行方向後方側」と呼ぶことがある。
【００１０】
畦形成機１０１は、機枠１０２と、作業部１２１と、を備える。装着フレーム１０３は、機枠１０２の一部をなし、畦形成機１０１における走行方向前方側の端部に設けられ、トラクタ５０１の後方に連結される。装着フレーム１０３は、トラクタ５０１の三点リンク機構５０４に連結されるトップブラケット１０４及びロアピン１０５，１０６を備える。また、装着フレーム１０３は、その走行方向後方側に、略鉛直方向に延びる第１回動軸１０７を有する。
【００１１】
機枠１０２は、上述の装着フレーム１０３に加え、第１フレーム１０９と、第２フレーム１１０と、を含む。第１フレーム１０９は、第１回動軸１０７を介して装着フレーム１０３に取り付けられ、第１回動軸１０７を中心に水平面内で回動自在になっている。第２フレーム１１０は、略鉛直方向に延びる第２回動軸１１１を介して第１フレーム１０９に取り付けられ、第２回動軸１１１を中心に水平面内で回動自在となっている。ところで、装着フレーム１０３と第１フレーム１０９とは、伸縮自在の第１シリンダ１１２によって連結される。また、第１フレーム１０９と第２フレーム１１０とは、伸縮自在の第２シリンダ１１３によって連結される。さらに装着フレーム１０３と第２フレーム１１０とは、屈曲自在のリンク機構１０３ａにより連結される。これにより、第２フレーム１１０は、トラクタ５０１の走行方向に対して直交する方向に向けられ、トラクタ５０１に対する作業部１２１の走行方向側方側へのオフセット量が調整される。
【００１２】
図２は、一部を破断させて示す畦形成機１０１の平面図である。図３は、畦形成機１０１の側面図である。作業部１２１は、畦形成装置１３１、盛土装置１４１、畦上面削土装置１５１及びゲージ輪１６１を備える。作業部１２１は、トラクタ５０１の走行方向側方に位置し、運転席５０２よりも走行方向後方側に配置される。
【００１３】
畦形成装置１３１は、支持フレーム１０８の進行方向後方側の端部に取り付けられる。畦形成装置１３１は、畦形成装置回転軸１３２と、ディスク部１３３と、円筒部１３４と、カバー１３５と、変位機構としての可動ケース１３６と、調整ロッド１３７と、ハンドル１３８と、を備える。可動ケース１３６と調整ロッド１３７とハンドル１３８との詳細については、図４（ａ）、図４（ｂ）に基づいて後述する。畦形成装置回転軸１３２は、第２フレーム１１０よりも走行方向後方側に位置し、可動ケース１３６（後述）から延出して走行方向に直交し水平に延び、その軸回り方向に回転自在となっている。ディスク部１３３は、円錐台状をなし、畦形成装置回転軸１３２に取り付けられる。ディスク部１３３の表面には、複数の金属板が貼り付けられる。ディスク部１３３の円錐台の先端側は、畦３０１の傾斜面３０３（図１参照）に向けられる。円筒部１３４は、円筒状をなし、ディスク部１３３の円錐台先端側に着脱自在に取り付けられる。畦形成装置回転軸１３２が回転すると、ディスク部１３３は、盛土装置１４１（後述）や畦上面削土装置１５１（後述）によって畦３０１に盛り上げられた土を締固めて、新畦３０５の傾斜面３０６（図１参照）を形成する。また、畦形成装置回転軸１３２が回転すると、円筒部１３４は、盛土装置１４１（後述）や畦上面削土装置１５１（後述）によって畦３０１に盛り上げられた土を締固めて、新畦３０５の上面３０７（図１参照）を形成する。カバー１３５は、ディスク部１３３の上方に位置し、作業員がディスク部１３３に接触することを防ぐ。
【００１４】
盛土装置１４１は、畦形成装置１３１に対し走行方向前方側に位置する。盛土装置１４１は、盛土装置回転軸１４２と、複数の掘削刃１４３と、カバー１４４と、固定ケース１４５（図４（ａ）、図４（ｂ）に基づいて後述）と、を備える。盛土装置回転軸１４２は、畦形成装置回転軸１３２と平行に延び、固定ケース１４５（後述）から延出して第２フレーム１１０よりも進行方向前方側に位置し、その軸回り方向に回転自在となっている。掘削刃１４３は、盛土装置回転軸１４２から放射して延び、その先端が畦３０１の傾斜面３０３側に屈曲している。盛土装置回転軸１４２が回転すると、掘削刃１４３は、掘削する畦３０１の傾斜面３０３（図１参照）及びその近傍の地面３０２（図１参照）を掘削し、掘削した土を畦３０１の傾斜面３０３及び畦３０１の上面３０４（図１参照）に飛散させる。カバー１４４は、掘削刃１４３の上方に設置され、掘削刃１４３による土の飛散を防止して畦３０１へ誘導したり、作業員が掘削刃１４３に接触することを防いだりする。
【００１５】
畦上面削土装置１５１は、畦形成装置１３１と盛土装置１４１との間に位置する。畦上面削土装置１５１は、畦上面削土装置回転軸１５２と、掘削刃取付軸１５３と、複数の掘削刃１５４と、カバー１５５と、クラッチ部１５６と、を備える。畦上面削土装置回転軸１５２は、畦形成装置回転軸１３２と平行に延び、その軸回り方向に回転自在となっている。
【００１６】
掘削刃取付軸１５３は、畦上面削土装置回転軸１５２と平行に設けられ、スプロケット及びチェーン（いずれも図示せず）を介して畦上面削土装置回転軸１５２の回転力が伝達されるようになっている。掘削刃１５４は、掘削刃取付軸１５３から放射状に延び、その先端が屈曲している。ここで、掘削刃取付軸１５３の高さ位置は、畦形成装置１３１の下端及び盛土装置１４１の下端のいずれよりも高く、かつ、掘削刃取付軸１５３の鉛直方向下方に位置した掘削刃１５４の下端を畦３０１の上面３０４に接触させる高さである。畦上面削土装置回転軸１５２が回転すると、掘削刃取付軸１５３が回転し、掘削刃１５４が畦３０１の上面３０４を掘削する。カバー１５５は、掘削刃１５４の上方に設置され、掘削刃１５４による土の飛散を防止したり、作業員が掘削刃１５４に接触することを防いだりする。
【００１７】
畦形成機１０１は、入力軸１１４を備える。入力軸１１４は、トラクタ５０１に備わるＰＴＯ軸（図示せず）に連結される。入力軸１１４には、トラクタ５０１からの駆動力が入力される。入力軸１１４は、ユニバーサルジョイント１１５、ベベルギア（図示せず）、スプロケット（図示せず）、チェーン（図示せず）等より構成される動力伝達部１１６を介し、畦形成装置１３１、盛土装置１４１及び畦上面削土装置１５１のそれぞれに連結される。そして、入力軸１１４に駆動力が入力されると、畦形成装置１３１のディスク部１３３及び円筒部１３４、盛土装置１４１の掘削刃１４３、畦上面削土装置１５１の掘削刃１５４のいずれも、図３において時計回りとなる方向に回転する。このとき、畦形成装置１３１のディスク部１３３及び円筒部１３４、盛土装置１４１の掘削刃１４３、畦上面削土装置１５１の掘削刃１５４は、動力伝達部１１６の構成によって所望の回転速度比をなすように予め設定されている。また、クラッチ部１５６は、畦上面削土装置回転軸１５２の途中に設けられ、入力軸１１４から畦上面削土装置１５１への駆動力の伝達及び切断の切り替えを行う。
【００１８】
ゲージ輪１６１は、金属製の円錐板であり、畦形成装置１３１の近傍で、この畦形成装置１３１における畦３０１とは反対側に配置される。ゲージ輪１６１は、可動ケース１３６（後述）に取り付けられハンドル１６２を回すことにより所望の長さに伸縮できる長尺の調整ロッド１６３により、畦形成装置１３１に対して上下に変位する。調整ロッド１６３には、一例として、端部に雄ネジ部を形成する雄ネジロッドと、端面に雌ネジ孔が開口した雌ネジロッドとを螺合させて構成される。そして、このゲージ輪１６１の外周部が地面３０２に刺さり込むことで、地面３０２に対する畦形成装置１３１の高さが調整される。さらに、このゲージ輪１６１は、畦３０１からの成形圧を受けとめて、トラクタ５０１に牽引される畦形成機１０１の走行の直進性を維持する。
【００１９】
図４（ａ）及び図４（ｂ）は、変位量表示部１７１の動きを示す側面図である。図５（ａ）及び図５（ｂ）は、変位量表示部１７１の動きを示す正面図である。この変位量表示部１７１についての説明の前提として、可動ケース１３６、調整ロッド１３７、ハンドル１３８及び固定ケース１４５について述べる。可動ケース１３６は、畦形成装置回転軸１３２と支軸１３９とを連結する。可動ケース１３６は、動力伝達部１１６に含まれ入力軸１１４からの駆動力を伝達する駆動チェーン等を内部に収納する。この支軸１３９は、第２フレーム１１０の一部をなし畦形成機１０１の走行方向に対して直交する方向に延びる長尺の部材である。そして、可動ケース１３６は、この支軸１３９の軸回り方向に回転自在となっている。このため、畦形成装置１３１は、上下に変位自在となっている。また、固定ケース１４５は、支軸１３９から下方かつ走行方向前方側に延びる長尺の部材である。固定ケース１４５は、動力伝達部１１６に含まれ入力軸１１４からの駆動力を伝達する駆動チェーン等を内部に収納する。固定ケース１４５は、この支軸１３９に固定され、支軸１３９の軸回り方向に回転しない。固定ケース１４５の先端部には、盛土装置回転軸１４２（図２参照）が取り付けられる。盛土装置回転軸１４２は、それ自身の軸回り方向に回転自在となっている。
【００２０】
調整ロッド１３７は、調整ロッド１６３と同様のものであり、ハンドル１３８を回すことにより所望の長さに伸縮できるものである。調整ロッド１３７の一方の端部は、第２フレーム１１０に回転自在に連結する。また、この調整ロッド１３７の他方の端部は、畦形成装置回転軸１３２（図２参照）よりも走行方向後方側で可動ケース１３６に回転自在に連結する。ハンドル１３８は、調整ロッド１３７の他方の端部から走行方向後方側に突出する。
【００２１】
変位量表示部１７１について述べる。変位量表示部１７１は、第１要素１７２と第２要素１７３とを含む。第１要素１７２は、第２フレーム１１０に固定され、略鉛直方向に延びる柱状の部材である。第１要素１７２の上方部分には、縦長の開口部１７４が設けられる。開口部１７４は、畦形成機１０１の走行方向とは直交する方向に貫通する。また、開口部１７４における畦３０１とは反対側（図４（ａ）及び図４（ｂ）における紙面の奥側）は、正面視略コ字形状に凹んでいる。そして、第１要素１７２の正面側の側面で開口部１７４と同じ高さ位置には、目盛１７５が設けられる。この目盛１７５は、第１要素１７２の正面側の側面にペンキ等で直接書き込まれたり、この側面にシールを貼りつけたり、この側面を開口してそこに目盛が書き込まれた透光性を有するアクリル板を嵌め込んだりすることで形成される。
【００２２】
第２要素１７３は、長尺の棒状部材である。第２要素１７３の両端部は、図５（ａ）及び図５（ｂ）に示すように、折れ曲がっている。第２要素１７３の一方の第１端部１７３ａは、可動ケース１３６の上縁部分に固定取付されたブラケット１７６に回転自在に保持される。第２要素１７３の他方の第２端部１７３ｂは、第１要素１７２に設けられた開口部１７４に、畦３０１側（図４（ａ）及び図４（ｂ）における紙面の手前側）から入り込み、その反対側に突出して、第１要素１７２に摺動自在に係合する。
【００２３】
図１、図４及び図５を参照する。上記のように構成される畦形成機１０１を用いて畦３０１を整えて新畦３０５を形成する場合、作業者は、ハンドル１３８を回転して支軸１３９を中心に可動ケース１３６を回転させ、畦形成装置１３１を所望の高さに位置づける。すなわち、盛土装置１４１と畦形成装置１３１との相対高さを調整することにより、形成する新畦３０５の高さや盛土装置１４１による盛土量を調整する。この際、作業者は、ゲージ輪１６１や畦上面削土装置１５１も所望の高さに調整することが望ましい。
【００２４】
ここで、畦形成機１０１において、第１要素１７２及び第２要素１７３はいずれも上方に突出し、これらが係合して変位量表示部１７１を構成している。このため、トラクタ５０１の運転席５０２に着座している作業者（運転者５０３）は、走行方向後方側に振り返るだけで、この変位量表示部１７１を視認できる。そして、変位量表示部１７１には目盛１７５が設けられ、この目盛１７５と開口部１７４に係合する第２要素１７３の第２端部１７３ｂとにより、第２フレーム１１０に対する畦形成装置１３１の上下方向の相対高さが示される。このように、本実施の形態の畦形成機１０１によれば、運転者５０３がトラクタ５０１から降りることなく、運転席５０２に着座したままで作業部１２１（畦形成装置１３１、盛土装置１４１）の上下位置状態を把握でき、畦３０１を整える作業の効率化を図ることができる。
【００２５】
実施の別の一形態を、図６に基づいて説明する。説明の便宜上、本実施の形態を第二の実施の形態と呼ぶ。この場合、第一の実施の形態と同一の部分については同一の符号を用い、説明も省略する。図６は、変位量表示部１７１の側面図である。本実施の形態では、第２要素１７３が可動ケース１３６に固定され、第１要素１７２が第２フレーム１１０に対し回転自在となって第１要素１７２に摺動自在に係合している。より詳しく述べると、第２要素１７３は、可動ケース１３６の上縁部分に固定取付され、この可動ケース１３６の上辺に対し直交する方向に延びる柱状の部材である。第２要素１７３の上方部分には、開口部１７４及び目盛１７５が設けられる。また、ブラケット１７６は第２フレーム１１０に固定取付される。そして、本実施の形態では、第１要素１７２が両端部を折り曲げられた長尺の棒状部材であり、その一方の端部（第１端部１７３ａ）がブラケット１７６に回転自在に保持され、他方の端部（第２端部１７３ｂ）が開口部１７４に入り込む。
【００２６】
本実施の形態の畦形成機１０１においても、第１要素１７２及び第２要素１７３はいずれも上方に突出し、これらが係合して変位量表示部１７１を構成している。このため、トラクタ５０１の運転席５０２に着座している作業者（運転者５０３）は、走行方向後方側に振り返るだけで、この変位量表示部１７１を視認でき、運転者５０３は、運転席５０２に着座したままで作業部１２１（畦形成装置１３１、盛土装置１４１）の上下位置状態を把握できる。
【００２７】
実施の別の一形態を、図７に基づいて説明する。説明の便宜上、本実施の形態を第三の実施の形態と呼ぶ。本実施の形態は第一の実施の形態に準ずるものであり、第一の実施の形態と同一の部分については同一の符号を用い、説明も省略する。図７は、畦形成機１０１の模式的な斜視図である。本実施の形態では、畦形成装置１３１、盛土装置１４１及び畦上面削土装置１５１が、側面視「く」字形状をなす平板状の連動ケース１８１に取り付けられる。連動ケース１８１は、動力伝達部１１６に含まれ入力軸１１４からの駆動力を伝達する駆動チェーン等を内部に収納する。連動ケース１８１は、その中央部分を第２フレーム１１０に、支軸１３９の軸回り方向に回転自在に支持される。つまり、本実施の形態では、連動ケース１８１が変位機構としての役割を果たし、畦形成装置１３１と盛土装置１４１と畦上面削土装置１５１とが連動して、支軸１３９の軸回り方向に動く。そして、本実施の形態では、ブラケット１７６は、連動ケース１８１の上縁部分に固定取付される。
【００２８】
本実施の形態では、変位量表示部１７１は、互いに連動する畦形成装置１３１と盛土装置１４１との相対高さを示す。そして、運転者５０３は、トラクタ５０１の運転席５０２に着座したままで作業部１２１（畦形成装置１３１、盛土装置１４１）の上下位置状態を把握でき、畦３０１を整える作業の効率化を図ることができる。
【００２９】
実施の別の一形態を、図８に基づいて説明する。説明の便宜上、本実施の形態を第四の実施の形態と呼ぶ。本実施の形態は第一の実施の形態に準ずるものであり、第一の実施の形態と同一の部分については同一の符号を用い、説明も省略する。図８は、畦形成機１０１の模式的な斜視図である。本実施の形態では、固定ケース１４５は、支軸１３９から下方かつ走行方向後方側に延び、この先端部に畦形成装置１３１が取り付けられる。また、本実施の形態では、可動ケース１３６は、支軸１３９から下方かつ走行方向前方側に延び、支軸１３９の軸回り方向に回転自在となっている。そして、可動ケース１３６の先端部には、盛土装置１４１が取り付けられる。このため、本実施の形態では、盛土装置１４１が上下に変位自在となっている。調整ロッド１３７は、第２フレーム１１０と可動ケース１３６とを連結する。ハンドル１３８は、調整ロッド１３７から盛土装置回転軸１４２よりも走行方向前方側に突出する。
【００３０】
本実施の形態では、変位量表示部１７１は、畦形成装置１３１に対する盛土装置１４１の相対高さを示す。そして、運転者５０３は、トラクタ５０１の運転席５０２に着座したままで作業部１２１（畦形成装置１３１、盛土装置１４１）の上下位置状態を把握でき、畦３０１を整える作業の効率化を図ることができる。
【００３１】
なお、第三の実施の形態及び第四の実施の形態のいずれにおいても、第二の実施の形態のように第１要素１７２を第２フレーム１１０に対して回転自在とし、第２要素１７３を連動ケース１８１や可動ケースに対して固定することができるのは、言うまでもない。
【００３２】
さらに、いずれの実施の形態においても、第２フレーム１１０に対して第１要素１７２を回転自在とし、可動ケース１３６や連動ケース１８１に対して第２要素１７３を回転自在としても良い。このように畦形成機１０１を構成しても、可動ケース１３６や連動ケース１８１の動きとともに開口部１７４に入り込む第２要素１７３の第２端部１７３ｂは上下に摺動し、運転者５０３に作業部１２１の状態を示すことになる。
【００３３】
さらに、別の実施の形態として、畦形成装置１３１と支軸１３９とを可動ケースで連結し、盛土装置１４１と支軸１３９とを別の可動ケースで連結して支軸１３９と盛土装置１４１とを別個独立に回転自在とし、第一の実施の形態にあるような変位量表示部を畦形成装置１３１と畦形成機１０１とに対して設け、第四の実施の形態にあるような変位量表示部を盛土装置１４１と畦形成機１０１とに対して設けて、畦形成装置１３１及び盛土装置１４１のそれぞれの高さ位置を運転者５０３が認識出来るようにしてもよい。
【００３４】
さらに、別の実施の形態として、これまでに述べたいずれの実施の形態の畦形成機１０１に備わる調整ロッド１３７を、電動や油圧作動で伸縮するシリンダに置き換え、運転席５０２から遠隔操作を行えるようにしてもよい。この場合、運転者５０３は、変位量表示部１７１を確認しながら運転席５０２より容易に調整ができる。
【符号の説明】
【００３５】
１０１  畦形成機
１２１  作業部
１３１  畦形成装置
１３６  可動ケース（変位機構）
１４１  盛土装置
１７１  変位量表示部
１７２  第１要素
１７３  第２要素
１８１  連動ケース（変位機構）
３０１  畦（旧畦）
３０２  地面（裾部）
３０５  新畦
５０１  トラクタ（走行機）
５０２  運転席
【図１】
2011200150.tif 000003
【図２】
2011200150.tif 000004
【図３】
2011200150.tif 000005
【図４】
2011200150.tif 000006
【図５】
2011200150.tif 000007
【図６】
2011200150.tif 000008
【図７】
2011200150.tif 000009
【図８】
2011200150.tif 000010